(57)【要約】【課題】ペット、主として犬に着せるコートに関し、犬などのペットに着せるのが容易であって、しかも脱げるようなことがなくしっかりと着せることができるものを提供する。【解決手段】ペットの首から胴までの上面を覆うコート本体１の左右両側縁の前端部分に首部係止具２と、首部係止具から一定寸法後方であって前足の前方に位置する肩部係止具３と、肩部係止具の一定寸法後方であって前足の直後に位置する胸部係止具４と、胸部係止具よりも後方であって後足の直前に位置させて腹部係止具５を配置し、ペットにしっかり着せることができるようにする。コート本体１には、肩部係止具と胸部係止具間の少なくとも左右両側辺部分に伸縮性領域６を配置することによってペットが動き易いようにする。【選択図】  図１
2004215576.tif 000002
【特許請求の範囲】
【請求項１】
ペットの首から胴までの上面を覆うコート本体の左右両側縁の前端部分に首部係止具と、該首部係止具から一定寸法後方であって前足の前方に位置させて肩部係止具を配置するとともに、前記肩部係止具の一定寸法後方であって前足の直後に位置する胸部係止具と、該胸部係止具よりも後方であって後足の直前に位置させて腹部係止具を配置し、肩部係止具と胸部係止具間のコート本体の少なくとも左右両側辺部分に伸縮性領域を配置したことを特徴とするペット用コート。
【請求項２】
コート本体は安全を考慮した厚手の生地もしくは多層構造の生地で構成し、肩部係止具と胸部係止具の間の側縁から中心もしくは中心近くに達する切除部を形成し、この切除部分にネット生地その他伸縮性を備えた生地を配置して伸縮性領域を形成したことを特徴とする請求項１記載のペット用コート。
【請求項３】
コート本体の一部に反射材、蓄光材、蛍光材などの光り効果のある素材で表示を施すとともに、該表示を凸又は凹の立体的な表示とすることを特徴とする請求項１又は２記載のペット用コート。
【請求項４】
コート本体を前方から順に首身頃、肩身頃及び背身頃の三部品を接続することによって構成し、肩身頃の左右両側に伸縮性領域を配置したことを特徴とする請求項１ないし３のいずれかに記載のペット用コート。
【発明の詳細な説明】
【０００１】
【発明の属する技術分野】
本発明は、犬や猫といったペット、主として犬用コートの構造に関する発明である。
【０００２】
【従来の技術】
従来から犬を散歩させるときに、防寒や安全のため、あるいは目印として迷子防止などの目的でベスト型やズボン型のコートを着せることが行なわれている。従来のペット用コートとして、特許文献１に開示される単なるカバー方式のものや、特許文献２に開示されるように前足又は前足と後足の両方を袖に通して着せるものなどが知られている。また、上記二つの先行技術には、コートの表面に光る表示部分を形成し、夜間に散歩させる場合にも認識できるようにする思想が開示されている。
【０００３】
【特許文献１】
実開平６−５７１５１号公報（図１）
【特許文献２】
実用新案登録第３０６００７４号公報（図１、図２）
【０００４】
【発明が解決しようとする課題】
特許文献１に開示される従来のペット用コートは、単に犬の背中に被せ一箇所の締め具で着せるものであるため、しっかりと安定せず脱げてしまう可能性がある。また、特許文献２に開示されるようにペットの足を袖に通す方式のコートでは着脱が面倒である。一般に犬などのペットは、コートなど余分なものを着せられることを喜ぶとは限らず、コートなどをしっかりと着せることは必ずしも容易ではない。上記、従来技術の欠点に鑑み、本発明は犬などのペットに着せるのが容易であって、しかも脱げるようなことがなくしっかりと着せることができる、簡単な構造のコートを提供することを目的とするものである。
【０００５】
また、別の目的はペットの動き、すなわち運動を阻害するようなことがなく、ペットが嫌がらないコートを実現することである。このコートは主として犬を対象に工夫したものであるが、猫など犬以外のペット用コートとして応用することができるものである。
【０００６】
さらに、本発明の別の目的は、盲導犬用のコートとして種々のアクシデントから視覚障害者及び盲導犬を守ることができるとともに、視覚障害者が容易に取り扱うことができるコートを提供せんとするものである。換言すれば盲導犬用の安全チョッキとでもいえるものを実現することを目的とする発明である。
【０００７】
【課題を解決するための手段】
上記、目的を達成するため本発明は、コート本体１でペットの首から胴までの上面を連続的に覆うようにする。そして、コート本体１の左右両側縁の前端部分に首部係止具２と、首部係止具２から一定寸法後方であって前足の前方に位置させて肩部係止具３を配置する。さらに、肩部係止具３の一定寸法後方であって前足の直後に位置させて胸部係止具４を、胸部係止具４よりも後方であって後足の直前に位置させて腹部係止具５をそれぞれ配置し、前記四箇所の係止具によって犬などのペットＡにしっかりと装着する。
コート本体１のうち、肩部係止具３と胸部係止具４間の、少なくとも左右両側辺部分に伸縮性領域６を配置する。この伸縮性領域６を配置することによって、ペットＡは前足を自由に動かすことができ、その動きが阻害されないものとなる。
【０００８】
コート本体１は安全を考慮した厚手の生地もしくは多層構造の生地で構成することによって、交通事故など各種のアクシデントに遭遇する可能性のある盲導犬などを保護することができる。この場合、肩部係止具３と胸部係止具４の間の側縁から中心もしくは中心近くに達する切除部を形成し、この切除部分にネット生地その他伸縮性を備えた生地を配置して伸縮性領域６を形成するのが好ましい。これにより、安全チョッキのような厚手の生地を使用する場合であっても、より動き易いものとすることができるからである。換言すれば、自由に折曲しにくい生地でコート本体１を構成するものであっても、コート本体１の生地を首部分と胴部分とで分離もしくは僅かな連続部分で連続させることによって、ペットの自由な動きを確保することができる。
【０００９】
コート本体１の一部、例えば背身頃１ｃに反射材、蓄光材、蛍光材などの光り効果のある素材で表示７を施すと、夜間においてもペットの存在を認識することができる。特に、表示７を凸又は凹の立体的な表示とすることにより、盲導犬に応用した場合に視覚障害者自身が犬の存在、向きなどを知る上において便利であるとともに、着脱する場合にも取り扱い易いものとすることができる。盲導犬の場合の安全効果は、犬を守るだけでなく視覚障害者そのものを夜間の交通事故などから守ることを意味する。
【００１０】
コート本体１は、前方から順に首身頃１ａと、肩身頃１ｂ及び背身頃１ｃの三部品で構成し、これらを接続することによって完成させることができる。この場合、比較的小さな部材である肩身頃１ｂだけの取り扱いで、その左右両側に伸縮性領域６を配置する加工や、背身頃だけの取り扱いで立体的な表示を施す加工が可能となる。
【００１１】
【発明の実施の形態】
以下、本発明に係るペット用コートの実施形態を添付の図面に基づいて説明する。
図１は発明に係るペット用コートを犬に着せた状態の斜視図、図２はペット用コート全体の展開図、図３は変形実施例を示すペット用コート全体の展開図である。
【００１２】
本発明に係るペット用コートは、コート本体１と複数位置に配置した係止具で構成する。
コート本体１は、例えば防水処理を施した布製、安全チョッキのような多層構造生地、合成樹脂製シート材などで製することができる。コート本体１は、ペットＡの体型に合わせて、首部分から胴全体を上方から覆うことができる形状に形成する。これは、一枚の生地を連続する状態で所定形状に裁断するものであってもよいが、図２に示す実施形態では、三つの身頃で構成している。すなわち、ペットＡの首部分の上半部を覆うことができる大きさの首身頃１ａと、肩部分の上半部を覆うことができる大きさの肩身頃１ｂと、胴部分の上半部を覆うことができる大きさの背身頃１ｃで構成し、これらをつなぎ合わせることによってコート本体１を完成させている。
【００１３】
首身頃１ａと肩身頃１ｂと背身頃１ｃの、三つの身頃のうち、首身頃１ａが最も細幅であり、次に肩身頃１ｂが細幅であり、背身頃１ｃが最も幅の広いものとなる。したがって、これらをつなぎ合わせるために、接続部分の幅をそれぞれ一致させるとともに、側縁を湾曲形状に形成している。これら三つの身頃を、つなぎあわせた上で、コート本体１全体の周縁に縁テープ１３を縫着する。コート本体１の周縁に縫着する縁テープはどのようなものであってもよいが、少なくとも伸縮性領域６部分の縁テープ１３’だけはゴムなどの伸縮性のテープを用いて縫製する。
【００１４】
上記したように、コート本体１を三つの身頃によって構成するものでは、三つの身頃をそれぞれに裁断することができるため、一枚の布から大きなコート本体１を裁断する場合に比較して歩留まり良く裁断できる。また、三つの身頃は、同じ素材の布を用いて全体として統一のとれたものとすることは勿論、それぞれの身頃をその部分に適した素材で構成することあるいは異なった色柄で構成することによって意匠的な趣向を凝らすことも可能である。
【００１５】
三つの身頃のうち、肩身頃１ｂの左右両側には、中心に向けてメッシュ生地や編地などによって、伸縮が可能な伸縮性領域６を形成している。この伸縮性領域６は裁断後、肩身頃として裁断した布に別の布、例えばゴム網の編地やメッシュ生地を縫製などの手段によって形成し、伸縮性領域６を備えた肩身頃１ｂとして完成させる。また、背身頃１ｃには、再帰反射シートを貼着したり、反射塗料や蛍光塗料、あるいは蓄光材を用いて表示７を施しておく。この表示７も、コート本体１全体の大きな状態ではなく、背身頃１ｃが分離している状態で表示を施す作業を行なうことができる。
【００１６】
コート本体１の左右両側縁には、前端から首部係止２と、肩部係止具３、胸部係止具４及び腹部係止具５を配置する。前端に位置する首部係止具２は、コート本体１の左右両側縁から側方に突出させたベルト２ａの先端に雌連結片８を、ベルト２ｂの先端に雄連結片９をそれぞれ装着し、ワンタッチで着脱することができるようにしている。ベルト２ａの途中には、調節杆１０を配置して長さ調節をできるようにしている。このような構成とすることによって、前端の首部係止具２は、ペットＡの首に盲動することなくしっかりと装着することができる。ベルト２ａと２ｂはそれぞれ別体であってもよいが、図２に示す実施形態では一本のベルトを用い、このベルトをコート本体１の前端に縫着などの手段によって固定している。首部係止具２のベルトをコート本体１の前端に配置し、図示例のようにコート本体がベルトから突出しない態様とすることによって、前側の形状と後側の形状を異ならせ、視覚障害者が取り扱う場合に、コートの位置関係を容易に知ることができる。
【００１７】
首部係止具２の後方には肩部係止具３を、その後方に胸部係止具４を、さらにその後方に腹部係止具５をそれぞれコート本体１の左右両側縁に配置している。これらの係止具は、首部係止部２の構造と同様に側縁からベルト、３ａ，３ｂと４ａ，４ｂ及び５ａ，５ｂを突出させ、先端に設けた雌連結片８と雄連結片９をワンタッチで着脱することができるようにしている。また、調節杆１０によってベルト３ａ、４ａ及び５ａの長さを調節することができるようにしている。
【００１８】
首部係止具２は、長さを調節して首輪と同じような感覚でペットの首部分にしっかりと装着する。次に肩部係止具３は、ペットの前足の前方位置に装着するとともに、胸部係止具５は、ペットの前足の直後に、さらに腹部係止具５をペットの後足の直前位置にそれぞれ装着する。これら装着作業は、雄、雌の連結片８，９をワンタッチで連結させることによって、例えば袖にペットの前足や後足を通すような作業を必要とせずに短時間で着せることができる。
【００１９】
このとき、肩部係止具３と胸部係止具４間の少なくとも左右両側辺部分、すなわち肩身頃１ｂに伸縮性領域６を配置しているため、伸縮性領域６部分がペットの前足の動きに対応して伸縮する。ペットにとって、動きが制限されることが最も嫌なものであるが、着衣そのものが動きに応じて伸縮するため、ペットＡにとって動きが制限されるようなことがなく、快適な状態でコートを着せることができる。図１に示すように、ペット用コートを着せた状態で背部分、具体的には背身頃１Ｃの左右両側に施した表示７が、ペットの胴部分の側面に現れるため、遠方からでもペットＡを認識することができる。また、表示そのものが再帰反射シートや反射塗料のように光の効果を発揮するものであれば、夜間の散歩などにおいても、車のヘッドライトの光などを反射して、安全に散歩あるいは移動することができる。
【００２０】
本発明に係るペット用コートは、基本的にはペットＡの大きさによってサイズを使い分けるものであるが、図示例のペット用コートでは、ペットの種類や固体の特徴、例えばダックスフンドのように胴長体型の犬種にも対応することができるように工夫している。すなわち、最後部に位置する腹部係止具の取付位置を自由に変更することができるようにしている。腹部係止具５の取付位置を変更する方法として、コート本体１の左右両側縁部分に複数の取付孔１１，１１を穿設し、任意の取付孔１１に腹部係止具５のベルト５ａ、５ｂを装着することができるようにしている。
【００２１】
ペットの前足の前後に位置する肩部係止具３と胸部係止具４は、ペットＡ自身の前足が存在することによって移動することがなく、しかも伸縮性領域６を設けることによってペットが自由に動くことができる。一方、最後部の腹部係止具５は、後足の直前に位置するためペットの後足の動きを阻害することはないが、一方で胸部係止具４と腹部係止部５の間隔が比較的大きくなることから、コート本体１の背部分、換言すれば背身頃１ｃ部分の安定が悪く盲動する可能性がある。  そこで、図示例では、胸部係止具４のベルト４ｂと腹部係止具５のベルト５ｂの間に間隔保持ベルト１２を配置し、胸部係止具４と腹部係止具５が一定間隔の装着状態を維持することができるようにしている。間隔保持ベルト１２は、調節杆１０を介在させることによって長さ調節が可能である。すなわち、先に説明したように、腹部係止具５のベルトをどの取付孔１１に装着するかによって、調節杆１０によって間隔保持ベルト１２の長さを調節をする。
【００２２】
本発明に係るペット用コートは、これを盲導犬用に着用させることによって視覚障害者及び盲導犬の安全のために活用することができる。この場合、コート本体１として、安全チョッキのような多層構造で厚手の生地を使用するのが好ましいが、このような生地は、生地自体の柔軟性などの点からペットが動き難くなる可能性がある。そこで、図３に示すように厚手生地で構成するコート本体１の左右両側に、肩部係止具３の取付位置部分と胸部係止具４の取付位置部分から、中心方向の一点に向けて切除部分を形成する。すなわち、厚手生地で構成するコート本体１は、犬の首を覆う部分と胴を覆う部分を、分離もしくは僅かな連続状態とし、切除部分には伸縮性素材で編みたてたネット生地、その他の伸縮性を備えた生地を配置して伸縮性領域６を形成する。これにより、コート本体１の生地が、柔軟性に乏しい丈夫な厚手生地であっても、犬の運動機能を阻害することが無くなる。
【００２３】
また、コート本体１に施す表示７は、いずれの部分に施すものであってもよいが、その表示を凹又は凸の立体的な表示とすることによって、視覚障害者にとって極めて取り扱い易いものとなる。立体的な表示であって、なおかつ光の反射効果を有するものの具体例として、夜間の交通警備用安全チョッキなどに利用されている、再帰反射シートを貼着することによって任意の表示を施すことがかのうである。
【００２４】
以上述べた本発明に係るペット用コートは、主として犬を対象に工夫したものであるが犬以外のペット用コートとして応用することができる。また、コート本体を図面上三つの身頃で構成させているが、一枚の生地からの裁断によって形成するものであってもよく、その具体的形状デザインは任意であることはいうまでもない。
【００２５】
【発明の効果】
請求項１記載の本発明ペット用コートによれば、ペットに対して簡単に、しかも脱げるようなことなくしっかりとる装着することができる。そして、装着した状態で、ペットの動きを阻害することがないため、ペットが嫌がることもなく快適に着せることができる特徴がある。
【００２６】
請求項２記載の発明によれば、本発明に係るペット用コートを盲導犬用の安全コートとして利用し、視覚障害者と犬の安全を確保することができるとともに、視覚障害者にとって取り扱い易いものとすることができる。
【００２７】
請求項３記載の発明によれば、ペット用コートの一部、例えば背身頃に光る素材によって表示を施すことによって夜間でも安全に散歩させることができる。また、これを盲導犬用の安全コートとして活用する場合は、夜間の交通事故などから視覚障害者と犬の両方を守る上で極めて効果的である。そして、光り効果のある表示を立体的に施すことによって、視覚障害者にとってペット用コートの取り扱いが容易なものになるとともに、犬の位置や姿勢を正確に把握することができる。
【００２８】
請求項４記載の発明によれば、コート本体を三つに分離させた身頃によって構成するため、身頃ごとに効率的に製造することができる。特に、伸縮性領域を配置する肩身頃を他の身頃と分離させることによって、細かな加工を施す上において便利であり、身頃ごとに異なる素材あるいは異なる色柄によって構成するようなことが可能となり、機能的にあるいはデザイン的に種々の変更が可能となる。また、コートとしての縫製前の平面状の背身頃に表示を施すことができ、その作業を容易に行なうことができる。
【図面の簡単な説明】
【図１】本発明に係るペット用コートをペットに着せた状態の斜視図、
【図２】本発明に係るペット用コートの展開図、
【図３】本発明に係るペット用コートの変形実施例を示す展開図。
【符号の説明】
１…コート本体、  １ａ…首身頃、  １ｂ…肩身頃、  １ｃ…背身頃、  ２…首部係止具、  ２ａ，２ｂ…ベルト、  ３…肩部係止具、  ３ａ，３ｂ…ベルト、  ４…胸部係止具、  ４ａ，４ｂ…ベルト、  ５…腹部係止具、  ５ａ，５ｂ…ベルト、  ６…伸縮性領域、  ７…表示、  ８…雌連結片、  ９…雄連結片、  １０…調節杆、  １１…取付孔、  １２…感覚保持ベルト、  １３、１３’…縁テープ。
【図１】
2004215576.tif 000003
【図２】
2004215576.tif 000004
【図３】
2004215576.tif 000005